(57)【特許請求の範囲】
【請求項１】
物体側から像側へと順に、負のパワーを有する第１レンズ群と、正のパワーを有する第２レンズ群と、正のパワーを有する第３レンズ群と、正のパワーを有する第４レンズ群とからなり、
前記第１レンズ群が、物体側から像側へと順に、負のパワーを有する第１レンズ素子と、正のパワーを有する第２レンズ素子との２枚のレンズ素子からなり、
ズーミングに際して、各レンズ群の間隔が変化するとともに、
以下の条件（II−１）を満足する、ズームレンズ系：
５．２＜｜ｆＧ２／ｆＷ｜＜２０．０  ・・・（II−１）
（ただし、ｆＴ／ｆＷ＞２．０）
ここで、
ｆＧ２：第２レンズ群の焦点距離、
ｆＴ：望遠端での全系の焦点距離、
ｆＷ：広角端での全系の焦点距離
である。
【請求項２】
ズーミングに際して、各レンズ群の間隔が変化するように、前記第１レンズ群と、前記第２レンズ群と、前記第３レンズ群と、前記第４レンズ群とが、すべて光軸に沿った方向に移動する、請求項１に記載のズームレンズ系。
【請求項３】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
物体側から像側へと順に、負のパワーを有する第１レンズ群と、正のパワーを有する第２レンズ群と、正のパワーを有する第３レンズ群と、正のパワーを有する第４レンズ群とからなり、
前記第１レンズ群が、物体側から像側へと順に、負のパワーを有する第１レンズ素子と、正のパワーを有する第２レンズ素子との２枚のレンズ素子からなり、
ズーミングに際して、各レンズ群の間隔が変化するとともに、
以下の条件（II−１）：
５．２＜｜ｆＧ２／ｆＷ｜＜２０．０  ・・・（II−１）
（ただし、ｆＴ／ｆＷ＞２．０）
（ここで、
ｆＧ２：第２レンズ群の焦点距離、
ｆＴ：望遠端での全系の焦点距離、
ｆＷ：広角端での全系の焦点距離
である）を満足するズームレンズ系である、撮像装置。
【請求項４】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
物体側から像側へと順に、負のパワーを有する第１レンズ群と、正のパワーを有する第２レンズ群と、正のパワーを有する第３レンズ群と、正のパワーを有する第４レンズ群とからなり、
前記第１レンズ群が、物体側から像側へと順に、負のパワーを有する第１レンズ素子と、正のパワーを有する第２レンズ素子との２枚のレンズ素子からなり、
ズーミングに際して、各レンズ群の間隔が変化するとともに、
以下の条件（II−１）：
５．２＜｜ｆＧ２／ｆＷ｜＜２０．０  ・・・（II−１）
（ただし、ｆＴ／ｆＷ＞２．０）
（ここで、
ｆＧ２：第２レンズ群の焦点距離、
ｆＴ：望遠端での全系の焦点距離、
ｆＷ：広角端での全系の焦点距離
である）を満足するズームレンズ系である、カメラ。
【発明の詳細な説明】
【技術分野】
【０００１】
本発明は、ズームレンズ系、撮像装置及びカメラに関する。特に本発明は、高解像度を有するのは勿論のこと、光学全長（レンズ全長）が短いだけでなく、広角端での画角が７０°以上の広角撮影に充分に適応し、さらに広角端のＦナンバーが２．０程度と大口径のズームレンズ系、該ズームレンズ系を含む撮像装置、及び該撮像装置を備えた薄型で極めてコンパクトなカメラに関する。
【背景技術】
【０００２】
近年、高画素のＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の固体撮像素子の開発が進み、これら高画素の固体撮像素子に対応した、高い光学性能を有する撮像光学系を含む撮像装置を備えたデジタルスチルカメラやデジタルビデオカメラ（以下、単に「デジタルカメラ」という）が急速に普及してきている。このような高い光学性能を有するデジタルカメラの中でも、特にコンパクトタイプのデジタルカメラの需要が高まってきている。
【０００３】
コンパクトタイプのデジタルカメラにおいても、ユーザの要求が多様化してきている。これらのうち、焦点距離が短く画角が大きい広角端を持つズームレンズ系に対する要望が根強く存在する。広角端の焦点距離が短く画角が大きいズームレンズ系として、従来より、物体側から像側へと順に、負のパワーを有する第１レンズ群と、正のパワーを有する第２レンズ群と、正のパワーを有する第３レンズ群と、正のパワーを有する第４レンズ群とが配置されたネガティブリード型の４群構成のズームレンズ系が種々提案されている。
【０００４】
特許第３８０５２１２号公報は、物体側から順に、負の屈折力の第１レンズ群と、正の屈折力の第２レンズ群との少なくとも２つのレンズ群を有し、広角端に対して望遠端での第１レンズ群と第２レンズ群との間隔が小さくなるように、第２レンズ群を物体側へ移動させてズーミングを行うズームレンズで、第１レンズ群が、物体側より順に、非球面を有する負レンズと正レンズとの２枚のレンズからなるズームレンズを開示している。
【０００５】
特許第３５９０８０７号公報は、物体側から順に、負の屈折力を有する第１レンズ群と、正の屈折力を有する第２レンズ群と、正の屈折力を有する第３レンズ群と、正の屈折力を有する第４レンズ群とからなり、広角端から望遠端へのズーミングに際して、第１レンズ群と第２レンズ群との間隔が縮小し、第２レンズ群と第３レンズ群との間隔が変化し、第２レンズ群はレンズ群を構成する各レンズの光軸上の間隔が各々固定であり、該第２レンズ群を像面方向に移動させて遠距離物体から近距離物体へのフォーカシングを行うズームレンズを開示している。
【０００６】
特許第３９４３９２２号公報は、物体側から順に、負の屈折力を有する第１レンズ群と、正の屈折力を有する第２レンズ群と、正の屈折力を有する第３レンズ群と、正の屈折力を有する第４レンズ群とからなるズームレンズを開示している。特許第３９４３９２２号公報に開示のズームレンズは、負パワーの第１レンズ群の明るさ絞り側に非球面の凹面を向けた負レンズを有し、その非球面が、光軸上の屈折力に対して外側程屈折力が弱くなる形状である。
【０００７】
また、プロジェクション装置の拡大投射光学系に関する光学系ではあるが、特開２００１−１８８１７２号公報は、スクリーン側から原画側へ順に、負の屈折力の第１レンズ群、正の屈折力の第２レンズ群、正の屈折力の第３レンズ群、正の屈折力の第４レンズ群を有し、広角端から望遠端へのズーミングに際して、望遠端にて全系のレンズ全長が最も長くなるレトロフォーカス型のズームレンズを開示している。
【先行技術文献】
【特許文献】
【０００８】
【特許文献１】特許第３８０５２１２号公報
【特許文献２】特許第３５９０８０７号公報
【特許文献３】特許第３９４３９２２号公報
【特許文献４】特開２００１−１８８１７２号公報
【発明の概要】
【発明が解決しようとする課題】
【０００９】
しかしながら、各特許文献に記載のズームレンズ系は、広角化とコンパクト化との両立という点で、近年の要求を満足し得るものではない。また、各特許文献に記載のズームレンズ系は、Ｆナンバーの点からも近年の高スペックに対する要求を満足し得るものではない。
【００１０】
本発明の目的は、高解像度を有するのは勿論のこと、光学全長（レンズ全長）が短いだけでなく、広角端での画角が７０°以上の広角撮影に充分に適応し、さらに広角端のＦナンバーが２．０程度と大口径のズームレンズ系、該ズームレンズ系を含む撮像装置、及び該撮像装置を備えた薄型で極めてコンパクトなカメラを提供することである。
【課題を解決するための手段】
【００１１】
上記目的の１つは、以下のズームレンズ系により達成される。すなわち本発明は、
物体側から像側へと順に、負のパワーを有する第１レンズ群と、正のパワーを有する第２レンズ群と、正のパワーを有する第３レンズ群と、正のパワーを有する第４レンズ群とからなり、
前記第１レンズ群が、物体側から像側へと順に、負のパワーを有する第１レンズ素子と、正のパワーを有する第２レンズ素子との２枚のレンズ素子からなり、
ズーミングに際して、各レンズ群の間隔が変化するとともに、
以下の条件（II−１）：
５．２＜｜ｆＧ２／ｆＷ｜＜２０．０  ・・・（II−１）
（ただし、ｆＴ／ｆＷ＞２．０）
（ここで、
ｆＧ２：第２レンズ群の焦点距離、
ｆＴ：望遠端での全系の焦点距離、
ｆＷ：広角端での全系の焦点距離
である）を満足する、ズームレンズ系
に関する。
【００１２】
上記目的の１つは、以下の撮像装置により達成される。すなわち本発明は、
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
物体側から像側へと順に、負のパワーを有する第１レンズ群と、正のパワーを有する第２レンズ群と、正のパワーを有する第３レンズ群と、正のパワーを有する第４レンズ群とからなり、
前記第１レンズ群が、物体側から像側へと順に、負のパワーを有する第１レンズ素子と、正のパワーを有する第２レンズ素子との２枚のレンズ素子からなり、
ズーミングに際して、各レンズ群の間隔が変化するとともに、
以下の条件（II−１）：
５．２＜｜ｆＧ２／ｆＷ｜＜２０．０  ・・・（II−１）
（ただし、ｆＴ／ｆＷ＞２．０）
（ここで、
ｆＧ２：第２レンズ群の焦点距離、
ｆＴ：望遠端での全系の焦点距離、
ｆＷ：広角端での全系の焦点距離
である）を満足するズームレンズ系である、撮像装置
に関する。
【００１３】
上記目的の１つは、以下のカメラにより達成される。すなわち本発明は、
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
物体側から像側へと順に、負のパワーを有する第１レンズ群と、正のパワーを有する第２レンズ群と、正のパワーを有する第３レンズ群と、正のパワーを有する第４レンズ群とからなり、
前記第１レンズ群が、物体側から像側へと順に、負のパワーを有する第１レンズ素子と、正のパワーを有する第２レンズ素子との２枚のレンズ素子からなり、
ズーミングに際して、各レンズ群の間隔が変化するとともに、
以下の条件（II−１）：
５．２＜｜ｆＧ２／ｆＷ｜＜２０．０  ・・・（II−１）
（ただし、ｆＴ／ｆＷ＞２．０）
（ここで、
ｆＧ２：第２レンズ群の焦点距離、
ｆＴ：望遠端での全系の焦点距離、
ｆＷ：広角端での全系の焦点距離
である）を満足するズームレンズ系である、カメラ
に関する。
【発明の効果】
【００１４】
本発明によれば、高解像度を有し、かつ光学全長（レンズ全長）が短く、広角端での画角が７０°以上の広角撮影に充分に適応し、さらに広角端のＦナンバーが２．０程度と大口径のズームレンズ系、該ズームレンズ系を含む撮像装置、及び該撮像装置を備えた薄型で極めてコンパクトなカメラを提供することができる。
【図面の簡単な説明】
【００１５】
【図１】実施の形態１（実施例１）に係るズームレンズ系の無限遠合焦状態を示すレンズ配置図
【図２】実施例１に係るズームレンズ系の無限遠合焦状態の縦収差図
【図３】実施例１に係るズームレンズ系の望遠端における、像ぶれ補正を行っていない基本状態及び像ぶれ補正状態での横収差図
【図４】実施の形態２（実施例２）に係るズームレンズ系の無限遠合焦状態を示すレンズ配置図
【図５】実施例２に係るズームレンズ系の無限遠合焦状態の縦収差図
【図６】実施例２に係るズームレンズ系の望遠端における、像ぶれ補正を行っていない基本状態及び像ぶれ補正状態での横収差図
【図７】実施の形態３（実施例３）に係るズームレンズ系の無限遠合焦状態を示すレンズ配置図
【図８】実施例３に係るズームレンズ系の無限遠合焦状態の縦収差図
【図９】実施例３に係るズームレンズ系の望遠端における、像ぶれ補正を行っていない基本状態及び像ぶれ補正状態での横収差図
【図１０】実施の形態４（実施例４）に係るズームレンズ系の無限遠合焦状態を示すレンズ配置図
【図１１】実施例４に係るズームレンズ系の無限遠合焦状態の縦収差図
【図１２】実施例４に係るズームレンズ系の望遠端における、像ぶれ補正を行っていない基本状態及び像ぶれ補正状態での横収差図
【図１３】実施の形態５（実施例５）に係るズームレンズ系の無限遠合焦状態を示すレンズ配置図
【図１４】実施例５に係るズームレンズ系の無限遠合焦状態の縦収差図
【図１５】実施例５に係るズームレンズ系の望遠端における、像ぶれ補正を行っていない基本状態及び像ぶれ補正状態での横収差図
【図１６】実施の形態６（実施例６）に係るズームレンズ系の無限遠合焦状態を示すレンズ配置図
【図１７】実施例６に係るズームレンズ系の無限遠合焦状態の縦収差図
【図１８】実施例６に係るズームレンズ系の望遠端における、像ぶれ補正を行っていない基本状態及び像ぶれ補正状態での横収差図
【図１９】実施の形態７（実施例７）に係るズームレンズ系の無限遠合焦状態を示すレンズ配置図
【図２０】実施例７に係るズームレンズ系の無限遠合焦状態の縦収差図
【図２１】実施例７に係るズームレンズ系の望遠端における、像ぶれ補正を行っていない基本状態及び像ぶれ補正状態での横収差図
【図２２】実施の形態８に係るデジタルスチルカメラの概略構成図
【発明を実施するための形態】
【００１６】
（実施の形態１〜７）
図１、４、７、１０、１３、１６及び１９は、各々実施の形態１〜７に係るズームレンズ系のレンズ配置図である。
【００１７】
図１、４、７、１０、１３、１６及び１９は、いずれも無限遠合焦状態にあるズームレンズ系を表している。各図において、（ａ）図は広角端（最短焦点距離状態：焦点距離ｆW）のレンズ構成、（ｂ）図は中間位置（中間焦点距離状態：焦点距離ｆM＝√（ｆW＊ｆT））のレンズ構成、（ｃ）図は望遠端（最長焦点距離状態：焦点距離ｆT）のレンズ構成をそれぞれ表している。また各図において、（ａ）図と（ｂ）図との間に設けられた直線乃至曲線の矢印は、広角端から中間位置を経由して望遠端への、各レンズ群の動きを示す。さらに各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００１８】
各実施の形態に係るズームレンズ系は、物体側から像側へと順に、負のパワーを有する第１レンズ群Ｇ１と、正のパワーを有する第２レンズ群Ｇ２と、正のパワーを有する第３レンズ群Ｇ３と、正のパワーを有する第４レンズ群とを備え、ズーミングに際して、各レンズ群の間隔、すなわち、前記第１レンズ群と第２レンズ群との間隔、第２レンズ群と第３レンズ群との間隔、及び第３レンズ群と第４レンズ群との間隔がいずれも変化するように、各レンズ群が光軸に沿ってそれぞれ移動する。各実施の形態に係るズームレンズ系は、これら各レンズ群を所望のパワー配置にすることにより、高い光学性能を保持しつつ、レンズ系全体の小型化を可能にしている。
【００１９】
なお図１、４、７、１０、１３、１６及び１９において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表し、該像面Ｓの物体側（像面Ｓと第４レンズ群Ｇ４の最像側レンズ面との間）には、光学的ローパスフィルタや撮像素子のフェースプレート等と等価な平行平板Ｐが設けられている。
【００２０】
さらに図１において、第２レンズ群Ｇ２の物体側（第１レンズ群Ｇ１の最像側レンズ面と第２レンズ群Ｇ２の最物体側レンズ面との間）には、開口絞りＡが設けられており、該開口絞りＡは、撮像時の広角端から望遠端へのズーミングの際に、第２レンズ群Ｇ２と一体的に光軸上を移動する。また図４、７、１０、１３、１６及び１９において、第３レンズ群Ｇ３の物体側（第２レンズ群Ｇ２の最像側レンズ面と第３レンズ群Ｇ３の最物体側レンズ面との間）には、開口絞りＡが設けられており、該開口絞りＡは、撮像時の広角端から望遠端へのズーミングの際に、第３レンズ群Ｇ３と一体的に光軸上を移動する。
【００２１】
図１に示すように、実施の形態１に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その像側面が非球面であり、第２レンズ素子Ｌ２は、その物体側面が非球面である。
【００２２】
実施の形態１に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５とからなる。これらのうち、第４レンズ素子Ｌ４と第５レンズ素子Ｌ５とは接合されている。また、第３レンズ素子Ｌ３は、その物体側面が非球面である。
【００２３】
また実施の形態１に係るズームレンズ系において、第３レンズ群Ｇ３は、物体側から像側へと順に、両凸形状の第６レンズ素子Ｌ６と、物体側に凸面を向けた負メニスカス形状の第７レンズ素子Ｌ７とからなる。第６レンズ素子Ｌ６は、その物体側面が非球面である。
【００２４】
また実施の形態１に係るズームレンズ系において、第４レンズ群Ｇ４は、物体側に凸面を向けた正メニスカス形状の第８レンズ素子Ｌ８のみからなる。該第８レンズ素子Ｌ８は、その両面が非球面である。
【００２５】
実施の形態１に係るズームレンズ系において、撮像時の広角端から望遠端へのズーミングの際に、第１レンズ群Ｇ１は、像側に凸の軌跡を描いて望遠端での位置が広角端での位置よりも像側となるように移動し、第２レンズ群Ｇ２は、開口絞りＡと共に物体側へ移動し、第３レンズ群Ｇ３及び第４レンズ群Ｇ４は、いずれも物体側へ移動する。すなわち、撮像時の広角端から望遠端へのズーミングの際に、第１レンズ群Ｇ１と第２レンズ群Ｇ２との間隔が減少するように、各レンズ群が光軸に沿ってそれぞれ移動する。
【００２６】
図４に示すように、実施の形態２に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その像側面が非球面であり、第２レンズ素子Ｌ２は、その物体側が非球面である。
【００２７】
実施の形態２に係るズームレンズ系において、第２レンズ群Ｇ２は、物体側から像側へと順に、両凸形状の第３レンズ素子Ｌ３と、両凹形状の第４レンズ素子Ｌ４と、物体側に凸面を向けた負メニスカス形状の第５レンズ素子Ｌ５とからなる。これらのうち、第４レンズ素子Ｌ４と第５レンズ素子Ｌ５とは接合されている。また、第３レンズ素子Ｌ３は、その物体側面が非球面である。
【００２８】
また実施の形態２に係るズームレンズ系において、第３レンズ群Ｇ３は、物体側から像側へと順に、両凸形状の第６レンズ素子Ｌ６と、物体側に凸面を向けた負メニスカス形状の第７レンズ素子Ｌ７とからなる。第６レンズ素子Ｌ６は、その物体側面が非球面である。
【００２９】
また実施の形態２に係るズームレンズ系において、第４レンズ群Ｇ４は、両凸形状の第８レンズ素子Ｌ８のみからなる。該第８レンズ素子Ｌ８は、その像側面が非球面である。
【００３０】
実施の形態２に係るズームレンズ系において、撮像時の広角端から望遠端へのズーミングの際に、第１レンズ群Ｇ１は、像側に凸の軌跡を描いて望遠端での位置が広角端での位置よりも像側となるように移動し、第２レンズ群Ｇ２は、物体側へ移動し、第３レンズ群Ｇ３は、開口絞りＡと共に物体側へ移動し、第４レンズ群Ｇ４は、物体側へ移動する。すなわち、撮像時の広角端から望遠端へのズーミングの際に、第１レンズ群Ｇ１と第２レンズ群Ｇ２との間隔が減少するように、各レンズ群が光軸に沿ってそれぞれ移動する。
【００３１】
図７に示すように、実施の形態３に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その像側面が非球面であり、第２レンズ素子Ｌ２は、その物体側が非球面である。
【００３２】
実施の形態３に係るズームレンズ系において、第２レンズ群Ｇ２は、物体側から像側へと順に、両凸形状の第３レンズ素子Ｌ３と、両凹形状の第４レンズ素子Ｌ４とからなる。第３レンズ素子Ｌ３は、その物体側面が非球面である。
【００３３】
また実施の形態３に係るズームレンズ系において、第３レンズ群Ｇ３は、物体側から像側へと順に、両凸形状の第５レンズ素子Ｌ５と、両凸形状の第６レンズ素子Ｌ６と、両凹形状の第７レンズ素子Ｌ７とからなる。これらのうち、第６レンズ素子Ｌ６と第７レンズ素子Ｌ７とは接合されている。また、第５レンズ素子Ｌ５は、その物体側面が非球面である。
【００３４】
また実施の形態３に係るズームレンズ系において、第４レンズ群Ｇ４は、両凸形状の第８レンズ素子Ｌ８のみからなる。該第８レンズ素子Ｌ８は、その像側面が非球面である。
【００３５】
実施の形態３に係るズームレンズ系において、撮像時の広角端から望遠端へのズーミングの際に、第１レンズ群Ｇ１は、像側に凸の軌跡を描いて望遠端での位置が広角端での位置よりも像側となるように移動し、第２レンズ群Ｇ２は、物体側へ移動し、第３レンズ群Ｇ３は、開口絞りＡと共に物体側へ移動し、第４レンズ群Ｇ４は、物体側へ移動する。すなわち、撮像時の広角端から望遠端へのズーミングの際に、第１レンズ群Ｇ１と第２レンズ群Ｇ２との間隔が減少するように、各レンズ群が光軸に沿ってそれぞれ移動する。
【００３６】
図１０に示すように、実施の形態４に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その像側面が非球面である。
【００３７】
実施の形態４に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４とからなる。これら第３レンズ素子Ｌ３と第４レンズ素子Ｌ４とは接合されている。また、第３レンズ素子Ｌ３は、その物体側面が非球面である。
【００３８】
また実施の形態４に係るズームレンズ系において、第３レンズ群Ｇ３は、物体側から像側へと順に、両凸形状の第５レンズ素子Ｌ５と、両凸形状の第６レンズ素子Ｌ６と、両凹形状の第７レンズ素子Ｌ７とからなる。これらのうち、第６レンズ素子Ｌ６と第７レンズ素子Ｌ７とは接合されている。また、第５レンズ素子Ｌ５は、その物体側面が非球面である。
【００３９】
また実施の形態４に係るズームレンズ系において、第４レンズ群Ｇ４は、物体側に凸面を向けた正メニスカス形状の第８レンズ素子Ｌ８のみからなる。該第８レンズ素子Ｌ８は、その像側面が非球面である。
【００４０】
実施の形態４に係るズームレンズ系において、撮像時の広角端から望遠端へのズーミングの際に、第１レンズ群Ｇ１は、像側に凸の軌跡を描いて望遠端での位置が広角端での位置よりも像側となるように移動し、第２レンズ群Ｇ２は、物体側へ移動し、第３レンズ群Ｇ３は、開口絞りＡと共に物体側へ移動し、第４レンズ群Ｇ４は、物体側へ移動する。すなわち、撮像時の広角端から望遠端へのズーミングの際に、第１レンズ群Ｇ１と第２レンズ群Ｇ２との間隔が減少するように、各レンズ群が光軸に沿ってそれぞれ移動する。
【００４１】
図１３に示すように、実施の形態５に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その像側面が非球面である。
【００４２】
実施の形態５に係るズームレンズ系において、第２レンズ群Ｇ２は、物体側から像側へと順に、両凸形状の第３レンズ素子Ｌ３と、両凹形状の第４レンズ素子Ｌ４とからなる。これら第３レンズ素子Ｌ３と第４レンズ素子Ｌ４とは接合されており、後述する対応数値実施例における面データでは、これら第３レンズ素子Ｌ３と第４レンズ素子Ｌ４との間の接着剤層に面番号６が付与されている。また、第３レンズ素子Ｌ３は、その物体側面が非球面である。
【００４３】
また実施の形態５に係るズームレンズ系において、第３レンズ群Ｇ３は、物体側から像側へと順に、両凸形状の第５レンズ素子Ｌ５と、両凸形状の第６レンズ素子Ｌ６と、両凹形状の第７レンズ素子Ｌ７とからなる。これらのうち、第６レンズ素子Ｌ６と第７レンズ素子Ｌ７とは接合されており、後述する対応数値実施例における面データでは、これら第６レンズ素子Ｌ６と第７レンズ素子Ｌ７との間の接着剤層に面番号１３が付与されている。また、第５レンズ素子Ｌ５は、その物体側面が非球面である。
【００４４】
また実施の形態５に係るズームレンズ系において、第４レンズ群Ｇ４は、物体側に凸面を向けた正メニスカス形状の第８レンズ素子Ｌ８のみからなる。該第８レンズ素子Ｌ８は、その像側面が非球面である。
【００４５】
実施の形態５に係るズームレンズ系において、撮像時の広角端から望遠端へのズーミングの際に、第１レンズ群Ｇ１は、像側に凸の軌跡を描いて望遠端での位置が広角端での位置よりも像側となるように移動し、第２レンズ群Ｇ２は、物体側へ移動し、第３レンズ群Ｇ３は、開口絞りＡと共に物体側へ移動し、第４レンズ群Ｇ４は、物体側へ移動する。すなわち、撮像時の広角端から望遠端へのズーミングの際に、第１レンズ群Ｇ１と第２レンズ群Ｇ２との間隔が減少するように、各レンズ群が光軸に沿ってそれぞれ移動する。
【００４６】
図１６に示すように、実施の形態６に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その像側面が非球面である。
【００４７】
実施の形態６に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４とからなる。これら第３レンズ素子Ｌ３と第４レンズ素子Ｌ４とは接合されており、後述する対応数値実施例における面データでは、これら第３レンズ素子Ｌ３と第４レンズ素子Ｌ４との間の接着剤層に面番号６が付与されている。また、第３レンズ素子Ｌ３は、その物体側面が非球面である。
【００４８】
また実施の形態６に係るズームレンズ系において、第３レンズ群Ｇ３は、物体側から像側へと順に、両凸形状の第５レンズ素子Ｌ５と、両凸形状の第６レンズ素子Ｌ６と、両凹形状の第７レンズ素子Ｌ７とからなる。これらのうち、第６レンズ素子Ｌ６と第７レンズ素子Ｌ７とは接合されており、後述する対応数値実施例における面データでは、これら第６レンズ素子Ｌ６と第７レンズ素子Ｌ７との間の接着剤層に面番号１３が付与されている。また、第５レンズ素子Ｌ５は、その物体側面が非球面である。
【００４９】
また実施の形態６に係るズームレンズ系において、第４レンズ群Ｇ４は、両凸形状の第８レンズ素子Ｌ８のみからなる。該第８レンズ素子Ｌ８は、その像側面が非球面である。
【００５０】
実施の形態６に係るズームレンズ系において、撮像時の広角端から望遠端へのズーミングの際に、第１レンズ群Ｇ１は、像側に凸の軌跡を描いて望遠端での位置が広角端での位置よりも像側となるように移動し、第２レンズ群Ｇ２は、物体側へ移動し、第３レンズ群Ｇ３は、開口絞りＡと共に物体側へ移動し、第４レンズ群Ｇ４は、物体側へ移動する。すなわち、撮像時の広角端から望遠端へのズーミングの際に、第１レンズ群Ｇ１と第２レンズ群Ｇ２との間隔が減少するように、各レンズ群が光軸に沿ってそれぞれ移動する。
【００５１】
図１９に示すように、実施の形態７に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その像側面が非球面である。
【００５２】
実施の形態７に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４とからなる。これら第３レンズ素子Ｌ３と第４レンズ素子Ｌ４とは接合されており、後述する対応数値実施例における面データでは、これら第３レンズ素子Ｌ３と第４レンズ素子Ｌ４との間の接着剤層に面番号６が付与されている。また、第３レンズ素子Ｌ３は、その物体側面が非球面である。
【００５３】
また実施の形態７に係るズームレンズ系において、第３レンズ群Ｇ３は、物体側から像側へと順に、両凸形状の第５レンズ素子Ｌ５と、両凸形状の第６レンズ素子Ｌ６と、両凹形状の第７レンズ素子Ｌ７とからなる。これらのうち、第６レンズ素子Ｌ６と第７レンズ素子Ｌ７とは接合されており、後述する対応数値実施例における面データでは、これら第６レンズ素子Ｌ６と第７レンズ素子Ｌ７との間の接着剤層に面番号１３が付与されている。また、第５レンズ素子Ｌ５は、その物体側面が非球面である。
【００５４】
また実施の形態７に係るズームレンズ系において、第４レンズ群Ｇ４は、両凸形状の第８レンズ素子Ｌ８のみからなる。該第８レンズ素子Ｌ８は、その像側面が非球面である。
【００５５】
実施の形態７に係るズームレンズ系において、撮像時の広角端から望遠端へのズーミングの際に、第１レンズ群Ｇ１は、像側に凸の軌跡を描いて望遠端での位置が広角端での位置よりも像側となるように移動し、第２レンズ群Ｇ２は、物体側へ移動し、第３レンズ群Ｇ３は、開口絞りＡと共に物体側へ移動し、第４レンズ群Ｇ４は、物体側へ移動する。すなわち、撮像時の広角端から望遠端へのズーミングの際に、第１レンズ群Ｇ１と第２レンズ群Ｇ２との間隔が減少するように、各レンズ群が光軸に沿ってそれぞれ移動する。
【００５６】
特に、実施の形態１〜７に係るズームレンズ系では、第１レンズ群Ｇ１が、物体側から像側へと順に、負のパワーを有する第１レンズ素子Ｌ１と、正のパワーを有する第２レンズ素子Ｌ２とで構成されているので、諸収差、特に広角端での歪曲収差を良好に補正しながらも、短い光学全長（レンズ全長）を実現することができる。
【００５７】
実施の形態１〜７に係るズームレンズ系では、第１レンズ群Ｇ１が非球面を有するレンズ素子を少なくとも１枚含んでいるので、収差、特に広角端での歪曲収差をさらに良好に補正することができる。
【００５８】
例えば後述する基本構成IIIを有するズームレンズ系では、第２レンズ群Ｇ２が複数のレンズ素子を含むが、実施の形態１〜２に係るズームレンズ系では３枚、実施の形態３〜７に係るズームレンズ系では２枚といった、少数のレンズ素子で第２レンズ群Ｇ２が構成されており、光学全長（レンズ全長）が短いレンズ系となっている。なお、基本構成IIIを有するズームレンズ系において、第２レンズ群Ｇ２を構成するレンズ素子の枚数には限定がないが、光学全長（レンズ全長）の短縮化を考慮すると、やはり実施の形態１〜７のように２〜３枚のレンズ素子で第２レンズ群Ｇ２を構成することが好ましい。
【００５９】
実施の形態１〜７に係るズームレンズ系では、第４レンズ群Ｇ４が１枚のレンズ素子で構成されているので、レンズ素子の総枚数が削減され、光学全長（レンズ全長）が短いレンズ系となっている。また、該第４レンズ群Ｇ４を構成する１枚のレンズ素子が非球面を含むので、収差をさらに良好に補正することができる。
【００６０】
実施の形態１に係るズームレンズ系では、開口絞りＡの直ぐ像側に位置する第２レンズ群Ｇ２が、その中に１組の接合レンズ素子を含む３枚のレンズ素子で構成されているので、該第２レンズ群Ｇ２の厚みが小さく、光学全長（レンズ全長）が短いレンズ系となっている。また実施の形態２〜７に係るズームレンズ系では、開口絞りＡの直ぐ像側に位置する第３レンズ群Ｇ３が、２枚の単レンズ素子か、又は１組の接合レンズ素子を含む３枚のレンズ素子で構成されているので、該第３レンズ群Ｇ３の厚みが小さく、光学全長（レンズ全長）が短いレンズ系となっている。
【００６１】
また実施の形態１〜７に係るズームレンズ系では、撮像時の広角端から望遠端へのズーミングの際に、第１レンズ群Ｇ１、第２レンズ群Ｇ２、第３レンズ群Ｇ３及び第４レンズ群Ｇ４を光軸に沿ってそれぞれ移動させてズーミングを行うが、これら第１レンズ群Ｇ１、第２レンズ群Ｇ２、第３レンズ群Ｇ３及び第４レンズ群Ｇ４のうちのいずれかのレンズ群、あるいは、各レンズ群の一部のサブレンズ群を光軸に直交する方向に移動させることによって、全系の振動による像点移動を補正する、すなわち、手ぶれ、振動等による像のぶれを光学的に補正することができる。
【００６２】
全系の振動による像点移動を補正する際に、例えば第３レンズ群Ｇ３が光軸に直交する方向に移動することにより、ズームレンズ系全体の大型化を抑制してコンパクトに構成しながら、偏心コマ収差や偏心非点収差が小さい優れた結像特性を維持して像ぶれの補正を行うことができる。
【００６３】
なお、前記各レンズ群の一部のサブレンズ群とは、１つのレンズ群が複数のレンズ素子で構成される場合、該複数のレンズ素子のうち、いずれか１枚のレンズ素子又は隣り合った複数のレンズ素子をいう。
【００６４】
以下、例えば実施の形態１〜７に係るズームレンズ系のごときズームレンズ系が満足することが好ましい条件を説明する。なお、各実施の形態に係るズームレンズ系に対して、複数の好ましい条件が規定されるが、これら複数の条件すべてを満足するズームレンズ系の構成が最も望ましい。しかしながら、個別の条件を満足することにより、それぞれ対応する効果を奏するズームレンズ系を得ることも可能である。
【００６５】
例えば実施の形態１〜７に係るズームレンズ系のように、物体側から像側へと順に、負のパワーを有する第１レンズ群と、正のパワーを有する第２レンズ群と、正のパワーを有する第３レンズ群と、正のパワーを有する第４レンズ群とを備え、ズーミングに際して、各レンズ群の間隔が変化する（以下、このレンズ構成を、実施の形態の基本構成Iという）ズームレンズ系は、以下の条件（I−１）を満足する。
１．３＜｜ｆG2／ｆG3｜＜１０．０  ・・・（I−１）
（ただし、ｆT／ｆW＞２．０）
ここで、
ｆG2：第２レンズ群の焦点距離、
ｆG3：第３レンズ群の焦点距離、
ｆT：望遠端での全系の焦点距離、
ｆW：広角端での全系の焦点距離
である。
【００６６】
前記条件（I−１）は、第２レンズ群と第３レンズ群の焦点距離を規定している。条件（I−１）の上限を上回ると、第３レンズ群の焦点距離が第２レンズ群の焦点距離と比較して相対的に小さくなり過ぎ、第３レンズ群において、特にズーム全域にわたって球面収差の変動を抑制することが困難になる。また、第３レンズ群の焦点距離が相対的に小さくなると、ズーミングの際に第２レンズ群の移動量が大きくなるので、コンパクトなズームレンズ系を達成することが困難になる。一方、条件（I−１）の下限を下回ると、第２レンズ群の焦点距離が第３レンズ群の焦点距離と比較して相対的に小さくなり、同様にズーム全域にわたって球面収差の変動を抑制することが困難になる。また、第２レンズ群の焦点距離が相対的に小さくなると、ズーミングの際に第３レンズ群の移動量が大きくなるため、同様にコンパクトなズームレンズ系を達成することが困難になる。
【００６７】
なお、さらに以下の条件（I−１）’及び（I−１）’’の少なくとも１つを満足することにより、前記効果をさらに奏功させることができる。
｜ｆG2／ｆG3｜＜８．０  ・・・（I−１）’
｜ｆG2／ｆG3｜＜６．０  ・・・（I−１）’’
（ただし、ｆT／ｆW＞２．０）
【００６８】
例えば実施の形態１〜７に係るズームレンズ系のように、物体側から像側へと順に、負のパワーを有する第１レンズ群と、正のパワーを有する第２レンズ群と、正のパワーを有する第３レンズ群と、正のパワーを有する第４レンズ群とを備え、ズーミングに際して、各レンズ群の間隔が変化する（以下、このレンズ構成を、実施の形態の基本構成IIという）ズームレンズ系は、以下の条件（II−１）を満足する。
５．２＜｜ｆG2／ｆW｜＜２０．０  ・・・（II−１）
（ただし、ｆT／ｆW＞２．０）
ここで、
ｆG2：第２レンズ群の焦点距離、
ｆT：望遠端での全系の焦点距離、
ｆW：広角端での全系の焦点距離
である。
【００６９】
前記条件（II−１）は、第２レンズ群の焦点距離を規定している。条件（II−１）の上限を上回ると、第２レンズ群の焦点距離が大きくなり過ぎ、第３レンズ群以降で発生する収差、特に球面収差の補正を第２レンズ群にて行うことが困難になる。一方、条件（II−１）の下限を下回ると、第２レンズ群の焦点距離が小さくなり過ぎ、第２レンズ群で大きな歪曲収差が発生してしまい、全系で補正を行うことが困難になる。また、第２レンズ群の焦点距離が小さくなり過ぎると、第２レンズ群においてズーム全域にわたって球面収差の変動を抑制することが困難になる。
【００７０】
なお、さらに以下の条件（II−１）’及び（II−１）’’の少なくとも１つを満足することにより、前記効果をさらに奏功させることができる。
６．０＜｜ｆG2／ｆW｜  ・・・（II−１）’
｜ｆG2／ｆW｜＜１６．０  ・・・（II−１）’’
（ただし、ｆT／ｆW＞２．０）
【００７１】
例えば実施の形態１〜７に係るズームレンズ系のように、物体側から像側へと順に、負のパワーを有する第１レンズ群と、正のパワーを有する第２レンズ群と、正のパワーを有する第３レンズ群と、正のパワーを有する第４レンズ群とを備え、ズーミングに際して、各レンズ群の間隔が変化するとともに、第２レンズ群が複数のレンズ素子を含む（以下、このレンズ構成を、実施の形態の基本構成IIIという）ズームレンズ系は、以下の条件（III−１）を満足する。
１．６＜｜β2W｜＜２０．０  ・・・（III−１）
（ただし、ｆT／ｆW＞２．０）
ここで、
β2W：広角端での第２レンズ群の横倍率、
ｆT：望遠端での全系の焦点距離、
ｆW：広角端での全系の焦点距離
である。
【００７２】
前記条件（III−１）は、広角端での第２レンズ群の横倍率を規定しており、第２レンズ群のパワーと偏心誤差感度に関連する条件である。条件（III−１）の上限を上回ると、広角端での第２レンズ群の横倍率が大きくなり過ぎ、基本的なズーミング作用が困難になり、ズームレンズ系を構成すること自体が困難になる。一方、条件（III−１）の下限を下回ると、広角端での第２レンズ群の横倍率が小さくなり過ぎ、結果として偏心誤差感度が高くなるため、組み立て調整が困難になり好ましくない。
【００７３】
例えば実施の形態１〜７に係るズームレンズ系のように、物体側から像側へと順に、負のパワーを有する第１レンズ群と、正のパワーを有する第２レンズ群と、正のパワーを有する第３レンズ群と、正のパワーを有する第４レンズ群とを備え、ズーミングに際して、各レンズ群の間隔が変化する（以下、このレンズ構成を、実施の形態の基本構成IVという）ズームレンズ系は、以下の条件（IV−１）を満足する。
１．２＜｜β2W／β2T｜＜１０．０  ・・・（IV−１）
（ただし、ｆT／ｆW＞２．０）
ここで、
β2W：広角端での第２レンズ群の横倍率、
β2T：望遠端での第２レンズ群の横倍率、
ｆT：望遠端での全系の焦点距離、
ｆW：広角端での全系の焦点距離
である。
【００７４】
前記条件（IV−１）は、ズーミング時の第２レンズ群の横倍率変化を規定しており、第２レンズ群のズーミング時の寄与を定める条件である。条件（IV−１）の上限を上回ると、第２レンズ群のズーミング作用への負担が大きくなるため、第２レンズ群のパワーが大きくなり過ぎるか、もしくは第２レンズ群のズーミング時の移動量が大きくなり過ぎ、いずれも収差補正が困難になる。一方、条件（IV−１）の下限を下回ると、第３レンズ群のズーミング作用への負担が相対的に大きくなるので、第３レンズ群のパワーが大きくなり過ぎるか、もしくは第３レンズ群のズーミング時の移動量が大きくなり過ぎ、いずれも収差補正が困難になる。
【００７５】
例えば実施の形態１〜７に係るズームレンズ系のように、基本構成Ｉ乃至基本構成IVのいずれかの構成を有し、さらに第４レンズ群がズーミング時に光軸に沿った方向に移動するズームレンズ系は、以下の条件（３）を満足することが好ましい。
０．０７＜｜ＤG4／ｆG4｜＜０．２５  ・・・（３）
（ただし、ｆT／ｆW＞２．０）
ここで、
ＤG4：第４レンズ群のズーミング時の光軸に沿った方向への移動量、
ｆG4：第４レンズ群の焦点距離、
ｆT：望遠端での全系の焦点距離、
ｆW：広角端での全系の焦点距離
である。
【００７６】
前記条件（３）は、第４レンズ群の移動量を規定している。条件（３）の上限を上回ると、第４レンズ群の移動量が大きくなり過ぎ、コンパクトなズームレンズ系を達成することが困難になる。一方、条件（３）の下限を下回ると、第４レンズ群の移動量が小さくなり過ぎ、ズーミング時に変動する収差を補正することが困難になるため好ましくない。
【００７７】
例えば実施の形態１〜７に係るズームレンズ系のように、基本構成Ｉ乃至基本構成IVのいずれかの構成を有するズームレンズ系は、以下の条件（４）を満足することが好ましい。
１．５＜ｆG4／ｆW＜１０．０  ・・・（４）
（ただし、ｆT／ｆW＞２．０）
ここで、
ｆG4：第４レンズ群の焦点距離、
ｆT：望遠端での全系の焦点距離、
ｆW：広角端での全系の焦点距離
である。
【００７８】
前記条件（４）は、第４レンズ群の焦点距離を規定している。条件（４）の上限を上回ると、第４レンズ群の焦点距離が大きくなり過ぎ、像面上での周辺光照度を確保することが困難になる。一方、条件（４）の下限を下回ると、第４レンズ群の焦点距離が小さくなり過ぎ、第４レンズ群で発生する収差、特に球面収差の補正が困難になる。
【００７９】
なお、さらに以下の条件（４）’を満足することにより、前記効果をさらに奏功させることができる。
ｆG4／ｆW＜７．５  ・・・（４）’
（ただし、ｆT／ｆW＞２．０）
【００８０】
例えば実施の形態１〜７に係るズームレンズ系のように、基本構成Ｉ乃至基本構成IVのいずれかの構成を有するズームレンズ系は、以下の条件（５）を満足することが好ましい。
｜β4W｜＜１．５  ・・・（５）
（ただし、ｆT／ｆW＞２．０）
ここで、
β4W：第４レンズ群の広角端での横倍率、
ｆT：望遠端での全系の焦点距離、
ｆW：広角端での全系の焦点距離
である。
【００８１】
前記条件（５）は、第４レンズ群の広角端での横倍率を規定しており、バックフォーカスに関する条件である。条件（５）を満足しない場合には、最も像側に配置される第４レンズ群の横倍率が大きくなるので、バックフォーカスが長くなり過ぎ、コンパクトなズームレンズ系を達成することが困難になる。
【００８２】
なお、さらに以下の条件（５）’及び（５）’’の少なくとも１つを満足することにより、前記効果をさらに奏功させることができる。
｜β4W｜＜１．０  ・・・（５）’
｜β4W｜＜０．８  ・・・（５）’’
（ただし、ｆT／ｆW＞２．０）
【００８３】
例えば実施の形態１〜７に係るズームレンズ系のように、基本構成Ｉ乃至基本構成IVのいずれかの構成を有し、さらに第１レンズ群が、物体側から像側へと順に、負のパワーを有する第１レンズ素子と、正のパワーを有する第２レンズ素子との２枚のレンズ素子からなるズームレンズ系は、以下の条件（６）を満足することが好ましい。
０．５＜ｆL1／ｆG1＜０．８  ・・・（６）
ここで、
ｆL1：第１レンズ素子の焦点距離、
ｆG1：第１レンズ群の焦点距離
である。
【００８４】
前記条件（６）は、第１レンズ群の第１レンズ素子の焦点距離を規定している。条件（６）の上限を上回ると、第１レンズ素子の焦点距離が大きくなり過ぎ、特に広角端での歪曲収差の補正が困難になるとともに、ズーミングにおける第１レンズ群の移動量も大きくなり、コンパクトなズームレンズ系を達成することが困難になる。一方、条件（６）の下限を下回ると、第１レンズ素子の焦点距離が小さくなり過ぎ、特に広角端での歪曲収差の補正が困難になる。
【００８５】
なお、さらに以下の条件（６）’を満足することにより、前記効果をさらに奏功させることができる。
ｆL1／ｆG1＜０．６７  ・・・（６）’
【００８６】
例えば実施の形態１〜７に係るズームレンズ系のように、基本構成Ｉ乃至基本構成IVのいずれかの構成を有し、さらに第１レンズ群が、物体側から像側へと順に、負のパワーを有する第１レンズ素子と、正のパワーを有する第２レンズ素子との２枚のレンズ素子からなるズームレンズ系は、以下の条件（７）を満足することが好ましい。
１．５＜｜ｆL2／ｆG1｜＜４．０  ・・・（７）
ここで、
ｆL2：第２レンズ素子の焦点距離、
ｆG1：第１レンズ群の焦点距離
である。
【００８７】
前記条件（７）は、第１レンズ群の第２レンズ素子の焦点距離を規定している。条件（７）の上限を上回ると、第２レンズ素子の焦点距離が大きくなり過ぎ、特に広角端での歪曲収差の補正が困難になるとともに、ズーミングにおける第１レンズ群の移動量も大きくなり、コンパクトなズームレンズ系を達成することが困難になる。一方、条件（７）の下限を下回ると、第２レンズ素子の焦点距離が小さくなり過ぎ、特に広角端での歪曲収差の補正が困難になる。
【００８８】
なお、さらに以下の条件（７）’を満足することにより、前記効果をさらに奏功させることができる。
２．４＜｜ｆL2／ｆG1｜  ・・・（７）’
【００８９】
例えば実施の形態１〜７に係るズームレンズ系のように、基本構成Ｉ乃至基本構成IVのいずれかの構成を有し、さらに第１レンズ群が、物体側から像側へと順に、負のパワーを有する第１レンズ素子と、正のパワーを有する第２レンズ素子との２枚のレンズ素子からなるズームレンズ系は、以下の条件（８）を満足することが好ましい。
０．１５＜｜ｆL1／ｆL2｜＜４．００  ・・・（８）
ここで、
ｆL1：第１レンズ素子の焦点距離、
ｆL2：第２レンズ素子の焦点距離
である。
【００９０】
前記条件（８）は、第１レンズ群の第１レンズ素子と第２レンズ素子との焦点距離の比を規定している。条件（８）の上限を上回ると、第１レンズ素子の焦点距離が第２レンズ素子の焦点距離と比較して相対的に大きくなり過ぎ、特に広角端での歪曲収差の補正が困難になるとともに、ズーミングにおける第１レンズ群の移動量も大きくなり、コンパクトなズームレンズ系を達成することが困難になる。一方、条件（８）の下限を下回ると、第２レンズ素子の焦点距離が第１レンズ素子の焦点距離と比較して相対的に大きくなり過ぎ、特に広角端での歪曲収差の補正が困難になる。
【００９１】
なお、さらに以下の条件（８）’を満足することにより、前記効果をさらに奏功させることができる。
｜ｆL1／ｆL2｜＜０．２５  ・・・（８）’
【００９２】
実施の形態１〜７に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、好ましい。
【００９３】
さらに各実施の形態では、像面Ｓの物体側（像面Ｓと第４レンズ群Ｇ４の最像側レンズ面との間）には、光学的ローパスフィルタや撮像素子のフェースプレート等と等価な平行平板Ｐを配置する構成を示したが、このローパスフィルタとしては、所定の結晶軸方向が調整された水晶等を材料とする複屈折型ローパスフィルタや、必要とされる光学的な遮断周波数の特性を回折効果により達成する位相型ローパスフィルタ等が適用可能である。
【００９４】
（実施の形態８）
図２２は、実施の形態８に係るデジタルスチルカメラの概略構成図である。図２２において、デジタルスチルカメラは、ズームレンズ系１とＣＣＤである撮像素子２とを含む撮像装置と、液晶モニタ３と、筐体４とから構成される。ズームレンズ系１として、実施の形態１に係るズームレンズ系が用いられている。図２２において、ズームレンズ系１は、第１レンズ群Ｇ１と、開口絞りＡと、第２レンズ群Ｇ２と、第３レンズ群Ｇ３と、第４レンズ群Ｇ４とから構成されている。筐体４は、前側にズームレンズ系１が配置され、ズームレンズ系１の後側には、撮像素子２が配置されている。筐体４の後側に液晶モニタ３が配置され、ズームレンズ系１による被写体の光学的な像が像面Ｓに形成される。
【００９５】
鏡筒は、主鏡筒５と、移動鏡筒６と、円筒カム７とで構成されている。円筒カム７を回転させると、第１レンズ群Ｇ１、開口絞りＡと第２レンズ群Ｇ２、第３レンズ群Ｇ３及び第４レンズ群Ｇ４が撮像素子２を基準にした所定の位置に移動し、広角端から望遠端までのズーミングを行うことができる。第４レンズ群Ｇ４はフォーカス調整用モータにより光軸方向に移動可能である。
【００９６】
こうして、デジタルスチルカメラに実施の形態１に係るズームレンズ系を用いることにより、解像度及び像面湾曲を補正する能力が高く、非使用時の光学全長が短い小型のデジタルスチルカメラを提供することができる。なお、図２２に示したデジタルスチルカメラには、実施の形態１に係るズームレンズ系の替わりに実施の形態２〜７に係るズームレンズ系のいずれかを用いてもよい。また、図２２に示したデジタルスチルカメラの光学系は、動画像を対象とするデジタルビデオカメラに用いることもできる。この場合、静止画像だけでなく、解像度の高い動画像を撮影することができる。
【００９７】
なお、本実施の形態８に係るデジタルスチルカメラでは、ズームレンズ系１として実施の形態１〜７に係るズームレンズ系を示したが、これらのズームレンズ系は、全てのズーミング域を使用する必要はない。すなわち、所望のズーミング域に応じて、光学性能が確保されている範囲を切り出し、実施の形態１〜７で説明したズームレンズ系よりも低倍率のズームレンズ系として使用してもよい。
【００９８】
さらに、実施の形態８では、いわゆる沈胴構成の鏡筒にズームレンズ系を適用した例を示したが、これに限られない。例えば、第１レンズ群Ｇ１内等の任意の位置に、内部反射面を持つプリズムや、表面反射ミラーを配置し、いわゆる屈曲構成の鏡筒にズームレンズ系を適用してもよい。さらに、実施の形態８において、第２レンズ群Ｇ２全体、第３レンズ群Ｇ３全体、第２レンズ群Ｇ２あるいは第３レンズ群Ｇ３の一部等のズームレンズ系を構成している一部のレンズ群を、沈胴時に光軸上から退避させる、いわゆるスライディング鏡筒にズームレンズ系を適用してもよい。
【００９９】
また、以上説明した実施の形態１〜７に係るズームレンズ系と、ＣＣＤやＣＭＯＳ等の撮像素子とから構成される撮像装置を、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等に適用することもできる。
【０１００】
以下、実施の形態１〜７に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
0005324693.tif 000002
ここで、κは円錐定数、Ａ４、Ａ６、Ａ８、Ａ１０及びＡ１２は、それぞれ４次、６次、８次、１０次及び１２次の非球面係数である。
【０１０１】
図２、５、８、１１、１４、１７及び２０は、各々実施の形態１〜７に係るズームレンズ系の縦収差図である。
【０１０２】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１０３】
また図３、６、９、１２、１５、１８及び２１は、各々実施の形態１〜７に係るズームレンズ系の望遠端における横収差図である。
【０１０４】
各横収差図において、上段３つの収差図は、望遠端における像ぶれ補正を行っていない基本状態、下段３つの収差図は、第３レンズ群Ｇ３全体を光軸と垂直な方向に所定量移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と第３レンズ群Ｇ３の光軸とを含む平面としている。
【０１０５】
なお、各実施例のズームレンズ系について、望遠端における、像ぶれ補正状態での第３レンズ群Ｇ３の光軸と垂直な方向への移動量は、以下に示すとおりである。
移動量（ｍｍ）
実施例１      ０．１０８
実施例２      ０．１０９
実施例３      ０．１２７
実施例４      ０．１３０
実施例５      ０．１３０
実施例６      ０．１２２
実施例７      ０．１１７
【０１０６】
撮影距離が∞で望遠端において、ズームレンズ系が０．６°だけ傾いた場合の像偏心量は、第３レンズ群Ｇ３全体が光軸と垂直な方向に上記の各値だけ平行移動するときの像偏心量に等しい。
【０１０７】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、０．６°までの像ぶれ補正角に対して、結像特性を低下させることなく充分な像ぶれ補正を行うことが可能である。
【０１０８】
（数値実施例１）
数値実施例１のズームレンズ系は、図１に示した実施の形態１に対応する。数値実施例１のズームレンズ系の面データを表１に、非球面データを表２に、各種データを表３に示す。
【０１０９】
表  １（面データ）
面番号         r           d           nd         vd
物面             ∞
1        134.72900     1.91500     1.68966    53.0
2*         6.50600     5.54800 
3*        12.44500     1.66800     1.99537    20.7
4         16.85000        可変
5(絞り)           ∞     0.30000
6*        10.15100     1.40400     1.80470    41.0
7         50.08000     1.01800 
8         20.76600     1.37600     1.83500    43.0
9       -135.52400     0.40000     1.80518    25.5
10          8.58000        可変
11*         8.13500     2.59600     1.68863    52.8
12        -20.12200     0.30000 
13         16.02300     0.72400     1.72825    28.3
14          6.26200        可変
15*        12.02800     2.08200     1.51443    63.3
16*       257.77300        可変
17               ∞     0.90000     1.51680    64.2
18               ∞     (BF) 
像面             ∞
【０１１０】
表  ２（非球面データ）
第2面
K=-8.89541E-01, A4= 3.99666E-05, A6= 1.70635E-07, A8= 7.94855E-09
A10=-1.19853E-11, A12= 0.00000E+00 
第3面
K= 0.00000E+00, A4=-2.98869E-05, A6= 0.00000E+00, A8= 0.00000E+00
A10= 0.00000E+00, A12= 0.00000E+00 
第6面
K=-5.58335E-01, A4= 1.94814E-06, A6=-1.25348E-06, A8=-1.13996E-09
A10= 3.40693E-10, A12= 0.00000E+00 
第11面
K= 0.00000E+00, A4=-3.87944E-04, A6= 8.43364E-08, A8=-6.23411E-08
A10= 5.24843E-10, A12= 0.00000E+00 
第15面
K= 0.00000E+00, A4=-7.19125E-05, A6= 0.00000E+00, A8= 0.00000E+00
A10= 0.00000E+00, A12= 0.00000E+00 
第16面
K= 0.00000E+00, A4= 1.04407E-05, A6= 7.96592E-06, A8=-8.57725E-07
A10= 3.18421E-08, A12=-4.36684E-10
【０１１１】
表  ３（各種データ）
ズーム比     2.21971
広角      中間      望遠
焦点距離       4.6399    6.9129   10.2992
Ｆナンバー     2.07000   2.29000   2.63000
画角        49.4321   35.2212   24.7264
像高         4.6250    4.6250    4.6250
レンズ全長     54.3814   44.5418   39.4183
ＢＦ        0.88142   0.88720   0.87461
d4          23.7170   11.5906    3.4670 
d10          2.0017    1.9854    1.4553 
d14          5.0003    6.3431    8.1913 
d16          2.5500    3.5045    5.1991 
ズームレンズ群データ
群    始面      焦点距離
1       1     -14.99745
2       5      37.58519
3      11      15.96197
4      15      24.45523
【０１１２】
（数値実施例２）
数値実施例２のズームレンズ系は、図４に示した実施の形態２に対応する。数値実施例２のズームレンズ系の面データを表４に、非球面データを表５に、各種データを表６に示す。
【０１１３】
表  ４（面データ）
面番号         r           d           nd         vd
物面             ∞
1        250.00000     2.01800     1.68966    53.0 
2*         6.73400     5.75000 
3*        13.79500     1.59400     1.99537    20.7 
4         19.27700        可変
5*         7.86600     1.57300     1.80470    41.0 
6        -45.60600     0.70400 
7       -268.86000     0.82900     1.83500    43.0 
8        382.84900     0.44100     1.80518    25.5 
9          6.88800        可変
10(絞り)           ∞     0.30000
11*         8.04900     2.65000     1.68863    52.8 
12        -12.76600     0.30000 
13         36.01500     0.70000     1.72825    28.3 
14          6.55200        可変
15         12.08800     2.30000     1.51443    63.3 
16*      -244.81300        可変
17               ∞     0.90000     1.51680    64.2
18               ∞     (BF) 
像面             ∞
【０１１４】
表  ５（非球面データ）
第2面
K=-1.22698E+00, A4= 1.07714E-04, A6= 8.55227E-07, A8=-5.06893E-09
A10= 5.51366E-11, A12= 0.00000E+00 
第3面
K= 0.00000E+00, A4=-3.13513E-05, A6= 1.08070E-07, A8= 0.00000E+00
A10= 0.00000E+00, A12= 0.00000E+00 
第5面
K=-6.38079E-01, A4=-3.99372E-06, A6=-5.89749E-06, A8= 4.15242E-07
A10=-1.77890E-08, A12= 0.00000E+00 
第11面
K= 0.00000E+00, A4=-5.90024E-04, A6= 1.07020E-05, A8=-1.90848E-06
A10= 1.19941E-07, A12= 0.00000E+00 
第16面
K= 0.00000E+00, A4= 6.48889E-05, A6= 2.05259E-05, A8=-2.23740E-06
A10= 9.49245E-08, A12=-1.48319E-09
【０１１５】
表  ６（各種データ）
ズーム比     2.21969
広角      中間      望遠
焦点距離       4.6502    6.9287   10.3220
Ｆナンバー     2.48000   2.87000   3.50000
画角        49.1915   34.9745   24.4421
像高         4.6250    4.6250    4.6250
レンズ全長     54.0153   43.8953   39.8118
ＢＦ        0.87840   0.88341   0.85876
d4          23.3667   10.9098    3.9002 
d9           2.9646    2.9961    1.9334 
d14          4.1966    5.3215    8.5860 
d16          2.5500    3.7255    4.4744 
ズームレンズ群データ
群    始面      焦点距離
1       1     -15.01969
2       5      35.17245
3      10      15.66219
4      15      22.46051
【０１１６】
（数値実施例３）
数値実施例３のズームレンズ系は、図７に示した実施の形態３に対応する。数値実施例３のズームレンズ系の面データを表７に、非球面データを表８に、各種データを表９に示す。
【０１１７】
表  ７（面データ）
面番号         r           d           nd         vd
物面             ∞
1        137.47500     1.85000     1.68966    53.0
2*         7.49600     4.87500 
3*        13.06200     1.55000     1.99537    20.7
4         16.13900        可変
5*        10.44100     1.81100     1.80470    41.0
6        -28.71300     0.30000 
7        -30.99400     0.70000     1.80610    33.3
8         12.27400        可変
9(絞り)           ∞     0.30000
10*        10.04700     2.60000     1.68863    52.8
11        -55.91400     0.30000 
12         14.28600     1.53000     1.88300    40.8
13        -14.49300     0.40000     1.72825    28.3
14          6.37000        可変
15         14.84000     1.52700     1.51443    63.3
16*       -66.89200        可変
17               ∞     0.90000     1.51680    64.2
18               ∞     (BF) 
像面             ∞
【０１１８】
表  ８（非球面データ）
第2面
K=-2.38335E+00, A4= 5.13474E-04, A6=-3.40371E-06, A8= 2.93983E-08
A10=-7.99911E-11, A12= 0.00000E+00 
第3面
K= 0.00000E+00, A4=-3.10440E-07, A6= 5.90876E-09, A8= 0.00000E+00
A10= 0.00000E+00, A12= 0.00000E+00 
第5面
K=-5.11546E-01, A4=-3.37256E-06, A6=-2.47048E-06, A8= 1.54019E-07
A10=-4.29662E-09, A12= 0.00000E+00 
第10面
K= 1.83293E-01, A4=-2.87629E-04, A6= 5.82833E-06, A8=-6.20443E-07
A10= 1.88935E-08, A12= 0.00000E+00 
第16面
K= 0.00000E+00, A4= 5.68928E-05, A6= 1.42306E-05, A8=-1.72170E-06
A10= 8.29689E-08, A12=-1.47000E-09
【０１１９】
表  ９（各種データ）
ズーム比     2.33132
広角      中間      望遠
焦点距離       5.2420    8.0004   12.2208
Ｆナンバー     2.07092   2.40703   2.86353
画角        45.2836   31.1674   20.9682
像高         4.5700    4.5700    4.5700
レンズ全長     54.8826   44.6604   39.5720
ＢＦ        0.88341   0.88121   0.87308
d4          21.0288    8.8031    1.5000 
d8           5.7474    4.9089    2.9000 
d14          4.3088    5.5978    7.1913 
d16          4.2712    5.8264    8.4646 
ズームレンズ群データ
群    始面      焦点距離
1       1     -15.41285
2       5      43.10870
3       9      17.20921
4      15      23.76045
【０１２０】
（数値実施例４）
数値実施例４のズームレンズ系は、図１０示した実施の形態４に対応する。数値実施例４のズームレンズ系の面データを表１０、非球面データを表１１に、各種データを表１２に示す。
【０１２１】
表  １０（面データ）
面番号         r           d           nd         vd
物面             ∞
1        180.00000     1.85000     1.68966    53.0
2*         7.05700     4.40400 
3         13.75200     2.20000     1.92286    20.9
4         19.69600        可変
5*        10.85300     2.00300     1.80470    41.0
6        125.00000     0.50000     1.75520    27.5
7         13.13500        可変
8(絞り)           ∞     0.30000
9*        10.63000     2.52400     1.68863    52.8
10        -51.08600     0.62800 
11         12.32000     1.44700     1.83481    42.7
12        -22.32700     0.40000     1.72825    28.3
13          6.30600        可変
14         12.84300     2.40000     1.60602    57.4
15*       142.13200        可変
16               ∞     0.90000     1.51680    64.2
17               ∞     (BF) 
像面             ∞
【０１２２】
表  １１（非球面データ）
第2面
K=-8.33929E-01, A4= 6.02474E-05, A6= 5.14320E-07, A8=-3.69741E-09
A10= 2.97017E-11, A12= 0.00000E+00 
第5面
K= 2.55396E+00, A4=-2.77018E-04, A6=-8.65400E-06, A8= 1.94516E-07
A10=-1.20753E-08, A12= 0.00000E+00 
第9面
K= 1.02267E-01, A4=-2.26353E-04, A6= 5.35520E-06, A8=-5.40727E-07
A10= 1.65403E-08, A12= 0.00000E+00 
第15面
K= 0.00000E+00, A4= 5.39823E-05, A6= 8.65875E-06, A8=-1.14875E-06
A10= 6.05261E-08, A12=-1.19039E-09
【０１２３】
表  １２（各種データ）
ズーム比     2.34513
広角      中間      望遠
焦点距離       5.2746    8.0479   12.3696
Ｆナンバー     2.07200   2.42052   2.90092
画角        45.4615   31.4763   21.1596
像高         4.6250    4.6250    4.6250
レンズ全長     53.8431   45.0390   41.0317
ＢＦ        0.89382   0.88677   0.87271
d4          20.6391    9.1232    1.5000 
d7           4.4541    4.1301    3.0000 
d13          4.6411    6.4485    8.6880 
d15          3.6590    4.8944    7.4150 
ズームレンズ群データ
群    始面      焦点距離
1       1     -15.40155
2       5      44.99112
3       8      17.94798
4      14      23.13547
【０１２４】
（数値実施例５）
数値実施例５のズームレンズ系は、図１３に示した実施の形態５に対応する。数値実施例５のズームレンズ系の面データを表１３に、非球面データを表１４に、各種データを表１５に示す。
【０１２５】
表  １３（面データ）
面番号         r           d           nd         vd
物面             ∞
1         85.72200     1.85000     1.74993    45.4
2*         7.49400     3.54600 
3         12.26100     2.10000     1.92286    20.9
4         17.26200        可変
5*        13.87900     2.20000     1.80359    40.8
6        -25.95200     0.00500     1.56732    42.8
7        -25.95200     0.57000     1.80610    33.3
8         19.00600        可変
9(絞り)           ∞     0.30000
10*         9.98500     2.65000     1.68863    52.8
11        -75.40400     0.78400 
12         10.97200     1.62100     1.83481    42.7
13        -15.55300     0.00500     1.56732    42.8
14        -15.55300     0.40500     1.72825    28.3
15          5.71700        可変
16         12.48300     2.02400     1.60602    57.4
17*       178.73100        可変
18               ∞     0.90000     1.51680    64.2
19               ∞     (BF) 
像面             ∞
【０１２６】
表  １４（非球面データ）
第2面
K=-2.53987E+00, A4= 6.02864E-04, A6=-4.74973E-06, A8= 5.13420E-08
A10=-2.16011E-10, A12= 2.55461E-29 
第5面
K= 4.23399E+00, A4=-2.05015E-04, A6=-6.25457E-06, A8= 1.54072E-07
A10=-7.27020E-09, A12= 0.00000E+00 
第10面
K=-3.88628E-02, A4=-2.24844E-04, A6= 7.45501E-06, A8=-7.33900E-07
A10= 2.23128E-08, A12= 0.00000E+00 
第17面
K= 0.00000E+00, A4= 2.15833E-05, A6= 1.28143E-05, A8=-1.52561E-06
A10= 7.60102E-08, A12=-1.46950E-09
【０１２７】
表  １５（各種データ）
ズーム比     2.34665
広角      中間      望遠
焦点距離       5.2709    8.0455   12.3689
Ｆナンバー     2.07058   2.37355   2.80491
画角        45.5394   31.6562   21.2060
像高         4.6250    4.6250    4.6250
レンズ全長     55.1442   44.1246   38.7344
ＢＦ        0.88100   0.87941   0.86838
d4          21.4345    9.0602    1.5000 
d8           5.9883    4.8062    3.0000 
d15          4.3396    5.3349    6.7548 
d17          3.5408    5.0839    7.6512 
ズームレンズ群データ
群    始面      焦点距離
1       1     -16.30844
2       5      52.14556
3       9      16.80389
4      16      22.04372
【０１２８】
（数値実施例６）
数値実施例６のズームレンズ系は、図１６に示した実施の形態６に対応する。数値実施例６のズームレンズ系の面データを表１６に、非球面データを表１７に、各種データを表１８に示す。
【０１２９】
表  １６（面データ）
面番号         r           d           nd         vd
物面             ∞
1         56.59000     2.30000     1.80470    41.0
2*         7.75900     4.68000 
3         12.81500     2.00000     1.94595    18.0
4         17.02600        可変
5*        11.64800     1.63300     1.80359    40.8
6         73.63000     0.00500     1.56732    42.8
7         73.63000     0.50000     1.80610    33.3
8         13.64600        可変
9(絞り)           ∞     0.30000
10*        10.83100     3.00000     1.68863    52.8
11        -35.95700     0.54200 
12         11.80300     1.64700     1.83481    42.7
13        -16.16800     0.00500     1.56732    42.8
14        -16.16800     0.74800     1.75520    27.5
15          5.96300        可変
16         16.81400     1.33300     1.60602    57.4
17*       -72.79400        可変
18               ∞     0.90000     1.51680    64.2
19               ∞     (BF) 
像面             ∞
【０１３０】
表  １７（非球面データ）
第2面
K=-1.78338E+00, A4= 3.52348E-04, A6=-7.13864E-07, A8= 9.88809E-09
A10=-1.11865E-11, A12= 2.49552E-19 
第5面
K= 3.14316E+00, A4=-2.72012E-04, A6=-8.68100E-06, A8= 2.11725E-07
A10=-1.27938E-08, A12=-7.28067E-20 
第10面
K=-1.83073E-01, A4=-1.93865E-04, A6= 3.83726E-06, A8=-3.04057E-07
A10= 7.83423E-09, A12= 0.00000E+00 
第17面
K= 0.00000E+00, A4= 2.42821E-05, A6= 4.32043E-06, A8=-8.91145E-07
A10= 5.93876E-08, A12=-1.46950E-09
【０１３１】
表  １８（各種データ）
ズーム比     2.34761
広角      中間      望遠
焦点距離       5.2702    8.0448   12.3723
Ｆナンバー     2.07005   2.36326   2.79780
画角        45.6031   31.4690   21.0569
像高         4.6250    4.6250    4.6250
レンズ全長     55.9820   45.4446   40.5385
ＢＦ        0.88223   0.87839   0.86863
d4          22.2482    9.5060    1.5000 
d8           4.4534    4.0835    3.0000 
d15          4.2945    5.2505    6.7554 
d17          4.5107    6.1332    8.8215 
ズームレンズ群データ
群    始面      焦点距離
1       1     -16.30337
2       5      67.66064
3       9      16.47269
4      16      22.66614
【０１３２】
（数値実施例７）
数値実施例７のズームレンズ系は、図１９に示した実施の形態７に対応する。数値実施例７のズームレンズ系の面データを表１９に、非球面データを表２０に、各種データを表２１に示す。
【０１３３】
表  １９（面データ）
面番号         r           d           nd         vd
物面             ∞
1        120.24000     1.70000     1.80470    41.0
2*         7.76000     4.30900 
3         14.85900     1.80000     1.94595    18.0
4         23.49400        可変
5*        11.62700     1.52000     1.80359    40.8
6        142.85700     0.00500     1.56732    42.8
7        142.85700     0.50000     1.80610    33.3
8         13.32300        可変
9(絞り)           ∞     0.30000
10*        12.80100     3.00000     1.68863    52.8
11        -36.79400     1.56900 
12         10.37200     1.76800     1.83481    42.7
13        -13.18500     0.00500     1.56732    42.8
14        -13.18500     0.40000     1.75520    27.5
15          6.10400        可変
16         18.91900     1.45800     1.60602    57.4
17*       -49.23900        可変
18               ∞     0.90000     1.51680    64.2
19               ∞     (BF) 
像面             ∞
【０１３４】
表  ２０（非球面データ）
第2面
K=-2.28649E+00, A4= 4.25785E-04, A6=-2.79189E-06, A8= 2.37543E-08
A10=-9.54904E-11, A12=-1.07445E-15 
第5面
K= 3.61159E+00, A4=-3.16565E-04, A6=-9.25957E-06, A8= 1.86987E-07
A10=-1.62320E-08, A12=-4.80450E-19 
第10面
K= 7.70809E-02, A4=-1.57049E-04, A6= 3.10975E-06, A8=-3.50418E-07
A10= 1.07860E-08, A12= 0.00000E+00 
第17面
K= 0.00000E+00, A4= 8.39459E-06, A6= 8.89406E-06, A8=-1.18450E-06
A10= 6.69475E-08, A12=-1.46950E-09
【０１３５】
表  ２１（各種データ）
ズーム比     2.34652
広角      中間      望遠
焦点距離       5.2750    8.0447   12.3780
Ｆナンバー     2.07998   2.40399   2.80753
画角        45.1600   31.3231   20.9681
像高         4.6250    4.6250    4.6250
レンズ全長     56.7415   46.7922   41.1921
ＢＦ        0.89182   0.87805   0.89672
d4          20.5042    8.5076    1.5000 
d8           7.0596    5.9981    3.0000 
d15          4.3377    6.1230    7.5808 
d17          4.7142    6.0515    8.9806 
ズームレンズ群データ
群    始面      焦点距離
1       1     -15.71457
2       5      75.06879
3       9      16.54470
4      16      22.73649
【０１３６】
以下の表２２に、数値実施例１〜７のズームレンズ系における各条件の対応値を示す。
【０１３７】
表  ２２（条件の対応値）
【表１】
0005324693.tif 000003
【産業上の利用可能性】
【０１３８】
本発明に係るズームレンズ系は、デジタルカメラ、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等のデジタル入力装置に適用可能であり、特にデジタルカメラ等の高画質が要求される撮影光学系に好適である。
【符号の説明】
【０１３９】
Ｇ１    第１レンズ群
Ｇ２    第２レンズ群
Ｇ３    第３レンズ群
Ｇ４    第４レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ａ      開口絞り
Ｐ      平行平板
Ｓ      像面
１      ズームレンズ系
２      撮像素子
３      液晶モニタ
４      筐体
５      主鏡筒
６      移動鏡筒
７      円筒カム
【図１】
0005324693.tif 000004
【図２】
0005324693.tif 000005
【図３】
0005324693.tif 000006
【図４】
0005324693.tif 000007
【図５】
0005324693.tif 000008
【図６】
0005324693.tif 000009
【図７】
0005324693.tif 000010
【図８】
0005324693.tif 000011
【図９】
0005324693.tif 000012
【図１０】
0005324693.tif 000013
【図１１】
0005324693.tif 000014
【図１２】
0005324693.tif 000015
【図１３】
0005324693.tif 000016
【図１４】
0005324693.tif 000017
【図１５】
0005324693.tif 000018
【図１６】
0005324693.tif 000019
【図１７】
0005324693.tif 000020
【図１８】
0005324693.tif 000021
【図１９】
0005324693.tif 000022
【図２０】
0005324693.tif 000023
【図２１】
0005324693.tif 000024
【図２２】
0005324693.tif 000025